(57)【要約】【課題】光源から照射される光線の径が第一鏡筒及び第二鏡筒のサイズに対して太い径であっても、第一鏡筒と第二鏡筒とを適正な状態で溶着固化することのできるカメラモジュールを提供することを課題とする。【解決手段】レンズ２が内装された第一鏡筒３と、該第一鏡筒３に対して同心で嵌合される第二鏡筒４とを備え、前記第一鏡筒３と前記第二鏡筒４とが嵌合されて互いに接触又は接近する溶着対象領域Ａ，Ｂに光線を照射することで該溶着対象領域Ａ，Ｂ同士が溶着固定されるカメラモジュール１において、前記溶着対象領域Ａ，Ｂ周辺における前記光線の照射側に向く前記第一鏡筒３及び前記第二鏡筒４の少なくとも何れか一方の面上に、前記光線を反射可能な反射手段５を備えていることを特徴とする。【選択図】図３
2010160404.tif 000002
【特許請求の範囲】
【請求項１】
レンズが内装された第一鏡筒と、該第一鏡筒に対して同心で嵌合される第二鏡筒とを備え、前記第一鏡筒と前記第二鏡筒とが嵌合されて互いに接触又は接近する溶着対象領域に光線を照射することで該溶着対象領域同士が溶着固定されるカメラモジュールにおいて、前記溶着対象領域周辺における前記光線の照射側に向く前記第一鏡筒及び前記第二鏡筒の少なくとも何れか一方の面上に、前記光線を反射可能な反射手段を備えていることを特徴とするカメラモジュール。
【請求項２】
前記反射手段は、反射面の反射率が前記第一鏡筒と前記第二鏡筒との溶着対象領域の反射率より高く設定されている請求項１に記載のカメラモジュール。
【請求項３】
前記反射手段は、反射面の反射率が40％以上に設定されている請求項１又は2に記載のカメラモジュール。
【請求項４】
前記反射手段は、金属材料で形成されている請求項１乃至3の何れか１項に記載のカメラモジュール。
【請求項５】
前記第一鏡筒は、前記第二鏡筒に対して螺合可能に構成され、溶着対象領域同士が溶着した溶着部の径が前記第一鏡筒のネジ部又は前記第二鏡筒のネジ部のネジ山の高さに対して１倍から５倍である請求項１乃至4の何れか１項に記載のカメラモジュール。
【発明の詳細な説明】
【技術分野】
【０００１】
本発明は、カメラ付き携帯電話機やデジタルカメラ等に搭載されるカメラモジュールに関する。
【背景技術】
【０００２】
従来から、カメラ付き携帯電話機やデジタルカメラに搭載されるカメラモジュールとして、レンズが内装された第一鏡筒と、該第一鏡筒に対して同心で嵌合される第二鏡筒とを備えたものが公知である
かかるカメラモジュールは、撮像素子が内部に配置されたハウジングに第一鏡筒及び第二鏡筒が内装され、外部からの像が前記レンズを介してハウジング内の撮像素子に導かれるよう構成される。
【０００３】
これに伴い、この種のカメラモジュールは、レンズの焦点が撮像素子（撮像面）上に位置するように組み立て時に第二鏡筒に対して第一鏡筒を位置合わせした上で、第一鏡筒と第二鏡筒とが部分的に固着され、これらが相対的に移動することが防止されている。これにより、前記カメラモジュールは、レンズの焦点が撮像素子の撮像面上で維持し、写真撮影や動画撮影を良好に行えるようになっている。
【０００４】
ところで、これまで第一鏡筒と第二鏡筒との固着には、接着剤（例えば、紫外線照射によって硬化するＵＶ接着剤等）が用いられていたが、接着剤の硬化時間が長いために組み立て時間が長くなったり、接着剤の品質を低下させないように管理することが大変であったりすることから、近年においては、第一鏡筒と第二鏡筒とが嵌合されて互いに接触又は接近する溶着対象領域にレーザー光等の光線を照射することで該溶着対象領域同士を溶着固定させるようにしている（例えば、特許文献１参照）。
【特許文献１】特開２００６−１０６５１７号公報
【発明の開示】
【発明が解決しようとする課題】
【０００５】
しかしながら、携帯電話機やデジタルカメラの小型化に伴って小型化が要求されるカメラモジュールは、第一鏡筒及び第二鏡筒も非常に小型化されるため、上述のようにレーザー光等の光線の照射で第一鏡筒及び第二鏡筒を溶着固定させようとすると、これらの溶ける範囲が大きくなりすぎてしまう。
【０００６】
すなわち、光源からのレーザー光等の光線の径（光線径）を絞るには物理的に限界があり、光源からの光線が前記カメラモジュール（前記第一鏡筒、前記第二鏡筒）のサイズに対して太いものとなる結果、第一鏡筒と第二鏡筒との溶着範囲（溶けた範囲）が大きくなり過ぎてしまう。
【０００７】
そのため、第一鏡筒及び第二鏡筒が熱影響を受ける結果、レンズを適正な位置に位置調整したにも拘わらず、該レンズ（前記第一鏡筒）に位置ずれが生じてしまうといった問題がある。
【０００８】
また、光源の位置に対して、第一鏡筒に位置ずれが生じると、光源からの光線が本来の照射位置である溶着対象領域からずれた位置に照射されてしまい、第一鏡筒と第二鏡筒とを適正に溶着固化させることができなくなるといった問題がある。
【０００９】
そこで、本発明は、斯かる実情に鑑み、光源から照射される光線の径が第一鏡筒及び第二鏡筒のサイズに対して太い径であっても、第一鏡筒と第二鏡筒とを適正な状態で溶着固化することのできるカメラモジュールを提供することを課題とする。
【課題を解決するための手段】
【００１０】
本発明に係るカメラモジュールは、レンズが内装された第一鏡筒と、該第一鏡筒に対して同心で嵌合される第二鏡筒とを備え、前記第一鏡筒と前記第二鏡筒とが嵌合されて互いに接触又は接近する溶着対象領域に光線を照射することで該溶着対象領域同士が溶着固定されるカメラモジュールにおいて、前記溶着対象領域周辺における前記光線の照射側に向く前記第一鏡筒及び前記第二鏡筒の少なくとも何れか一方の面上に、前記光線を反射可能な反射手段を備えていることを特徴とする。
【００１１】
上記構成のカメラモジュールによれば、溶着対象領域周辺における光線の照射側に向く第一鏡筒及び第二鏡筒の少なくとも何れか一方の面上に、前記光線を反射可能な反射手段を備えているので、第一鏡筒と第二鏡筒とを溶着固化させるために光源から照射される光線の径が溶着対象領域よりも太い場合、余分な光線が前記反射手段に反射される。すなわち、溶着対象領域に到達すべき光線以外の光線が反射手段によって反射される。これにより、反射手段によって反射された光線以外の光線が溶着対象領域に到達することになり、溶着対象領域同士が適正な範囲で溶着固化されることになる。従って、第一鏡筒や第二鏡筒に対して溶着固化（加熱）に伴う悪影響を及ぼすことがない。
【００１２】
そして、前記反射手段は、反射面の反射率が前記第一鏡筒と前記第二鏡筒との溶着対象領域の反射率より高く設定されていることが好ましい。このようにすれば、光線がレーザー光であるときに効率的に反射させることができる。
【００１３】
前記反射手段は、反射面の反射率が４０％以上に設定されてもよい。このようにすれば、不必要な光線（溶着対象領域に到達すべき光線以外の光線）を反射させることができる。
【００１４】
前記反射手段は、金属材料で形成されていることが好ましい。このようにすれば、レーザー光が反射手段に一部吸収され発熱しようとしても金属材料で放熱されるため第一鏡筒と第二鏡筒の溶着対象領域で溶着固化することができる。
【００１５】
前記第一鏡筒は、前記第二鏡筒に対して螺合可能に構成され、溶着対象領域同士が溶着した溶着部の径が前記第一鏡筒のネジ部又は前記第二鏡筒のネジ部のネジ山の高さに対して１倍から５倍であることが好ましい。このようにすれば、溶着対象領域同士が溶着された溶着部が不必要に大きくならない。従って、第一鏡筒と第二鏡筒との溶着時にこれらが熱影響等を受けることがなく、レンズを適正な配置にすることができる。
【発明の効果】
【００１６】
本発明に係るカメラモジュールによれば、光源から照射される光線の径が第一鏡筒及び第二鏡筒のサイズに対して太い径であっても、第一鏡筒と第二鏡筒とを適正な状態で溶着固化することができるという優れた効果を奏し得る。
【発明を実施するための最良の形態】
【００１７】
以下、本発明の一実施形態に係るカメラモジュールについて、添付図面を参照しつつ説明する。
【００１８】
本実施形態に係るカメラモジュールは、カメラ付き携帯電話機やデジタルカメラに搭載されるもので、図１及び図２に示す如く、レンズ２が内装された第一鏡筒３と、第一鏡筒３に対して同心で嵌合される第二鏡筒４と、これらを内装するハウジング５（図１参照）と、第一鏡筒３及び第二鏡筒４をハウジング５に固定するための板バネ材６とを備えている。
【００１９】
第一鏡筒３は、熱可塑性樹脂による成型物であり、本実施形態においては、ポリカーボネートで構成されている。第一鏡筒３は、図３に示す如く、筒状の第一鏡筒本体部７と、第一鏡筒本体部７内でレンズ２を保持するレンズ保持手段８と、第一鏡筒本体部７の他端開口縁部に連設され、レンズ保持手段８に保持されたレンズ２に対応する開口９が形成された絞り部１０とを備えている。
【００２０】
第一鏡筒本体部７は、外周に雄ネジ１１が形成されており、内周面にレンズ保持手段８が連設されている。レンズ保持手段８は、第一鏡筒本体部７の内周全周に亘って形成され、絞り部１０に対して第一鏡筒本体部７の軸線方向に間隔をあけて配置された環状凸部（採番しない）を備えており、絞り部１０の内面と環状凸部でレンズ２の外周縁部を挟み込むようになっている。絞り部１０は、ドーナツ円板状に形成されており、中央部の開口９がレンズ保持手段８に保持されたレンズ２と対応した配置になるように形成されている。
【００２１】
第二鏡筒４は、熱可塑性樹脂による成型物であり、本実施形態においては、第一鏡筒３と同様にポリカーボネートで構成されている。第二鏡筒４は、図２に示す如く、筒状の第二鏡筒本体部１２と、第二鏡筒本体部１２の一端から径方向外方に延出したフランジ部１３とを備えている。
【００２２】
第二鏡筒本体部１２の内周には、図３に示す如く、第一鏡筒本体部７の雄ネジ１１を螺合させる雌ネジ１４が形成されている。そして、図１及び図２に示す如く、第二鏡筒本体部１２は、他端部に複数の係止爪１５…が周方向に間隔をあけて突設されている。板バネ材６（反射手段１７）は、前記それぞれの係止爪１５…に係合する凹部を有し、該凹部に該係止爪１５…を係合した後に、第二鏡筒本体に接着、カシメ等により定位置に固定されるように構成されている。
【００２３】
ハウジング５は、図１に示す如く、箱状に形成されており、一面に第一鏡筒３の絞り部１０を外部に露呈させるための開口１６が設けられている。そして、ハウジング５は、開口１６の形成された一面とは反対側の位置に撮像素子（図示しない）が配置されている。そして、ハウジング５の上面部には、板バネ材６が接着、カシメ、或いは、レーザー溶接等で定位置に固定されるように構成されている。
【００２４】
具体的には、板バネ材６は、ドーナツ円板状に形成されている。板バネ材６は、バネ鋼で構成されており、少なくとも光線Ｌ側の面において光線Ｌが反射される反射面をなし、該反射面の反射率が第一鏡筒3と第二鏡筒4との溶着対象領域Ａ，Ｂ（図３参照）の反射率より高く設定されている。板バネ材６は、内周縁部が第二鏡筒４に設けられた複数の係止爪１５…に係止されることで、第二鏡筒４に固定されるようになっており、第二鏡筒４に固定された状態で、第二鏡筒本体部１２の外周全周から外方に向けて延出して鍔状を呈するようになっている。そして、板バネ材６は、接着やカシメよってハウジング５上面部の定位置に固定されている。このように、板バネ材６を介してハウジング５に第二鏡筒４を固定することで、第二鏡筒４（第二鏡筒本体部１２）とハウジング５の開口１６とが同心になり、また、第二鏡筒４の中心と撮像素子の撮像中心とも一致するようになっている。
【００２５】
そして、カメラモジュール１は、図３に示す如く、第一鏡筒３と第二鏡筒４とが嵌合されて互いに接触又は接近する溶着対象領域Ａ，Ｂに光線Ｌを照射することで溶着対象領域Ａ，Ｂ同士が溶着固定される。本実施形態に係るカメラモジュール１は、第一鏡筒３の外周に雄ネジ１１が形成されるとともに、第二鏡筒４の内周に雌ネジ１４が形成されているため、第一鏡筒３の雄ネジ１１を第二鏡筒４の雌ネジ１４に螺入することで、第一鏡筒３と第二鏡筒４とが互いに嵌合された状態になっている。そして、カメラモジュール１は、第一鏡筒３を第二鏡筒４に対してねじ込むことで、第一鏡筒３を軸線方向に移動させて第一鏡筒３に内装されたレンズ２の焦点が撮像素子の撮像面上に位置するように調整された上で、上述の如く、溶着対象領域Ａ，Ｂ同士が溶着される。
【００２６】
本実施形態に係るカメラモジュール１は、溶着対象領域Ａ，Ｂに光線Ｌを照射することで溶着対象領域Ａ，Ｂ同士を溶着することを前提に、溶着対象領域Ａ，Ｂ周辺における光線Ｌの照射側に向く第一鏡筒３及び第二鏡筒４の少なくとも何れか一方の面上に、光線Ｌを反射可能な反射手段１７を備える。
【００２７】
反射手段１７は、光線Ｌが反射される反射面が金属、鏡面仕上げした金属、白に近い色や光沢のあるメッキ加工した樹脂や金属、アルミで蒸着した樹脂や金属等で構成することができる。なお、前記反射面は、平面に限らず、光線Ｌの反射光が悪影響を及ぼす場合には必要に応じ凹凸状に形成し、光線Ｌを乱反射させてもよい。
【００２８】
また、反射手段１７は、第一鏡筒３及び第二鏡筒４の少なくとも何れか一方の面上に施したメッキ層、アルミ蒸着層等、或いは２色成型樹脂で構成してもよく、本実施形態においては、第二鏡筒本体部１２の一端上に板バネ材６が固定されることに着目し、板バネ材６を反射手段１７ａとして兼用するようにしている。このように構成にすれば、簡単で且つ部品材料の節約にもなり、低コスト化や軽量化することができる。
【００２９】
また、反射手段１７ａを板バネ材６の少なくとも光線Ｌが反射される反射面で構成することで光線Ｌを効率よく反射できるようになっている。従って、本実施形態に係るカメラモジュール１は、溶着対象領域Ａ，Ｂ周辺における光線Ｌの照射側に向く第二鏡筒４の面上に円環状の反射手段１７ａを備えている。
【００３０】
本実施形態に係る第二鏡筒本体部１２は、一端部の内周側に全周に亘って環状をなす窪み部１８が形成されている。そのため、本実施形態に係るカメラモジュール１は、第一鏡筒３と第二鏡筒４とを螺合させたときに、第二鏡筒本体部１２の窪み部１８内に第一鏡筒３の雄ネジ１１（ネジ山）が露呈するようになっており、窪み部１８を画定する内面と第一鏡筒３の雄ネジ１１部との境界（隅部）が溶着対象領域Ａ，Ｂに設定されている。
【００３１】
これに伴い、本実施形態に係るカメラモジュール１は、窪み部１８の奥部にも反射手段１７ｂが配置されている。なお、以下の説明において、第二鏡筒本体部１２の一端面上にある反射手段１７ａ（板バネ材６）を第一反射手段といい、窪み部１８内に配置された反射手段１７ｂを第二反射手段ということとする。
【００３２】
第一反射手段１７ａ及び第二反射手段１７ｂは、何れも光線Ｌの照射側にある反射面（光線Ｌを反射させる面）の反射率が４０％以上に設定されている。すなわち、本実施形態に反射手段１７は、第一鏡筒３及び第二鏡筒４を溶着するために照射する光線Ｌが、レーザー光であることを前提に反射率が４０％以上、好ましくは、７０％以上に設定される。
【００３３】
本実施形態においては、上述の如く、鋼（好ましくは、バネ鋼）からなる板バネ材５を第一反射手段１７ａに兼用しているため、第一反射手段１７ａは、反射面（光線Ｌの照射側の表層面）が錫メッキをしたベリリウム銅で構成されており、表面を光沢色にすることで、光源からの光線を効率よく反射できるようになっている。また、本実施形態においては、カメラモジュール１は、上述の如く、第一反射手段１７ａとは別に第二反射手段１７ｂをさらに備えているが、第二反射手段１７ｂについても第一反射手段１７ａと同様に、反射面（光線Ｌの照射側の表層面）が錫メッキをしたベリリウム銅で構成されており、光源からの光線を効率よく反射できるようになっている。
【００３４】
なお、錫メッキは一例であり、ニッケル鍍金や合金鍍金等光沢があるものがよく、反射防止や黒色っぽい鍍金は好ましくはない。また、ベリリウム銅についても、一例であり、りん青銅、ステンレス、アルミニウム等の金属、或いは、樹脂でも可能である
そして、第一反射手段１７ａ及び第二反射手段１７ｂは、何れも溶着対象領域Ａ，Ｂ以外の範囲の一部に第二鏡筒４を覆うように配置されており、それぞれの内周側のエッジ１７ｃ、１７ｄを結ぶ第一の仮想線Ｃと第一反射手段１７ａ及び第二反射手段１７ｂ（上方に向く反射面）とが成す角度θ1と、それぞれの内周側のエッジ１７ｃ、１７ｄを結ぶ第一の仮想線Ｃと溶着対象領域Ａ，Ｂの中央部からでた第二鏡筒４の中心線と平行な第二の仮想線Ｄとが成す角度θ2との関係を０≦θ２≦９０−θ１としている。そして、前記角度θ2の範囲内において、光源から光線Ｌを照射し、光線Ｌと第一鏡筒３と第二鏡筒４とが同時に交わる位置（溶着対象領域Ａ，Ｂ）で、第一鏡筒３及び第二鏡筒４は、互いの溶着対象領域Ａ，Ｂ同士を溶かして溶着固定される。このとき、光源からの光線Ｌ（光線Ｌの径が溶着対象領域Ａ，Ｂの範囲よりも太い場合、余分な光線Ｌ）が第一反射手段１７ａ及び第二反射手段１７ｂの少なくとも何れか一方によって反射される。すなわち、溶着対象領域Ａ，Ｂに到達すべき光線Ｌ以外の光線Ｌが第一反射手段１７ａ及び第二反射手段１７ｂの少なくとも何れか一方によって反射される。
【００３５】
これにより、第一反射手段１７ａ及び第二反射手段１７ｂの少なくとも何れか一方によって反射された光線Ｌ以外の光線Ｌが溶着対象領域Ａ，Ｂに到達することになり、溶着対象領域Ａ，Ｂ同士が適正な範囲で溶着固化されることになる。
【００３６】
本実施形態において、溶着対象領域Ａ，Ｂは、第一鏡筒３及び第二鏡筒４の周方向に所定間隔（一般的には略等間隔）をあけた複数領域（鏡筒３の中心点に対して点対象位置の二箇所、又は二箇所以上）が設定されており、それぞれの領域に対して上述の如く光線Ｌが照射され、それぞれの領域Ａ，Ｂが溶着固化される。これにより、第一鏡筒３及び第二鏡筒４（溶着対象領域Ａ，Ｂ同士）が互いに溶着して一体になった溶着部１９…が周方向に間隔をあけて複数形成される。
【００３７】
従って、本実施形態に係るカメラモジュール１は、第一鏡筒３や第二鏡筒４に対して溶着固化（加熱）に伴う悪影響を及ぼすことがなく、第一鏡筒３に内装したレンズ２は、上述の如く、焦点を撮像素子の撮像面上に位置し、また、撮像素子の中心に位置した状態で維持することになる。
【００３８】
このように、本実施形態に係るカメラモジュール１は、上述の如く、不要な光線Ｌが溶着対象領域Ａ，Ｂに到達しないため、溶着部１９…の径（第一鏡筒３の径方向における溶着部１９の形成範囲）が第一鏡筒３のネジ部（雄ネジ１１）又は第二鏡筒４のネジ部（雌ネジ部１４）のネジ山の高さに対して１倍から５倍で形成されている。この設定範囲で第一鏡筒３と第二鏡筒４とが互いに溶着されることで、溶着対象領域Ａ，Ｂ同士が溶着された溶着部１９が不必要に大きくならないため、第一鏡筒３や第二鏡筒４の溶着に伴う熱影響等を防止することができる。従って、第一鏡筒３に内装されたレンズ２は、撮像素子の撮像面上に焦点を合わせた状態で維持できる。また、溶着部１９…の径ばらつきを±５０％以下にした場合、撮像素子の中心に対してレンズ２の中心の位置精度を向上することができる。
【００３９】
以上のように本実施形態に係るカメラモジュール１によれば、溶着対象領域Ａ，Ｂ周辺における光線Ｌの照射側に向く第一鏡筒３及び第二鏡筒４の少なくとも何れか一方の面上に、光線Ｌを反射可能な反射手段１７ａ，１７ｂを備えているので、光源から照射される光線Ｌの径が第一鏡筒３及び第二鏡筒４のサイズに対して太い径であっても、第一鏡筒３と第二鏡筒４とを適正な状態で溶着固化することができるという優れた効果を奏し得る。
【００４０】
また、反射手段１７ａ，１７ｂは、反射面（光線Ｌを反射させる面）の反射率を４０％以上に設定したので、不必要な光線Ｌ（溶着対象領域Ａ，Ｂに到達すべき光線Ｌ以外の光線Ｌ）を効率的に反射させることができる。
【００４１】
さらに、反射手段１７ａ，１７ｂは、少なくとも反射面が金属材料で形成されているので、光線Ｌがレーザー光であるときに効率的に反射させることができる。
【００４２】
そして、第一鏡筒３は、第二鏡筒４に対して螺合可能に構成され、溶着対象領域Ａ，Ｂ同士が溶着した溶着部１９の径が第一鏡筒３のネジ部１１（又は、第二鏡筒４のネジ部１４）のネジ山の高さに対して１倍から５倍であるため、溶着対象領域Ａ，Ｂ同士が溶着された溶着部１９が不必要に大きくならない。従って、第一鏡筒３と第二鏡筒４との溶着時にこれらが熱影響等を受けることがなく、レンズ２を適正な配置にすることができる。
【００４３】
尚、本発明のカメラモジュールは、上記実施形態に限定されるものではなく、本発明の要旨を逸脱しない範囲内において種々変更を加え得ることは勿論である。
【００４４】
上記実施形態において、第二鏡筒４の一端面に第一反射手段１７ａを配置するとともに、窪み部１８の奥部に第二反射手段１７ｂを配置するようにしたが、これに限定されるものではなく、例えば、上記実施形態と同様に、第二鏡筒４の一端部の内周側に窪み部１８が形成される場合、第二鏡筒４の一端面又は窪み部１８の奥部の少なくとも何れか一方に反射手段１７ａ，１７ｂを設けるようにしてもよい。
【００４５】
上記実施形態において、第二鏡筒４の内周側に環状の窪み部１８を形成するようにしたが、これに限定されるものではなく、例えば、第一鏡筒３及び第二鏡筒４の何れにおいても、窪み部１８を形成することなく、一端面を外周から内周にかけて連続した平面になるように形成してもよい。この場合、第一鏡筒３及び第二鏡筒４の溶着対象領域Ａ，Ｂは、第一鏡筒３と第二鏡筒４との嵌合状態によって異なるため、例えば、第一鏡筒３の一端面における外周側と、第二鏡筒４の一端面における内周側とが溶着対象領域Ａ，Ｂとなる場合や、第一鏡筒３の外周面と、第二鏡筒４の一端面における内周側とが溶着対象となる場合、第一鏡筒３の一端面における内周側と、第二鏡筒４の内周面とが溶着対象領域Ａ，Ｂとなる場合がある。
【００４６】
従って、この場合は、反射手段１７は、余分な光線Ｌをカット（反射）するように溶着対象領域Ａ，Ｂの周辺に配置されればよい。すなわち、図４に示す如く、第一鏡筒３と第二鏡筒４とを溶着固定するために照射される光線Ｌの照射側（光源側）となる第二鏡筒４の一端面上に反射手段１７を配置するようにしてもよい。また、図５（ａ）に示す如く、第一鏡筒３と第二鏡筒４とを溶着固定するために照射される光線Ｌの照射側（光源側）となる第一鏡筒３の一端面上に反射手段１７を配置したり、図５（ｂ）に示す如く、第一鏡筒３の一端面及び第二鏡筒４の一端面の両方に反射手段１７，１７を配置したりしてもよい。但し、何れの場合も反射手段１７は、溶着対象領域Ａ，Ｂ以外の範囲の一部に第二鏡筒４を覆うように配置されることは言うまでもない。
【００４７】
上記実施形態において、第一鏡筒３を第二鏡筒４に螺合することで、そのネジピッチに対応させて第一鏡筒３（内装したレンズ２）の配置を調整するようにしたが、これに限定されるものではなく、例えば、第二鏡筒４に対して軸心方向に直線的に移動可能となるように第一鏡筒３を嵌入し、第一鏡筒３を軸心方向に移動させることで、第一鏡筒３に内装したレンズ２の配置を調整するようにしてもよい。この場合においても、第二鏡筒４に対して第一鏡筒３を嵌入することで第一鏡筒３と第二鏡筒４とが互いに接触又は接近する溶着対象領域Ａ，Ｂに対して光線Ｌを照射すれば、これらを溶着固定することができ、レンズ２を適正な配置で維持させることができる。
【００４８】
上記実施形態において、第一鏡筒３及び第二鏡筒４をポリカーボネートで構成したが、これに限定されるものではなく、例えば、第一鏡筒３及び第二鏡筒４をガラス繊維の入ったポリフタルアミド、フェノール樹脂等やアクリル系樹脂、メタクリル系樹脂、ポリイミド等の樹脂材料で形成されているものを用いてもよい。すなわち、第一鏡筒３及び第二鏡筒４は、光線Ｌ（レーザー光）の照射で自身が溶けて互いに溶着する素材で構成すればよい。
【００４９】
また、上記実施形態では光線Ｌのレーザー光としてＣＯ2レーザー、ＹＡＧレーザー等を用いることができる。また上記実施形態はレーザー光で説明したが、これに限定されるものではなく、例えば、ハロゲン光等を用いてもよい。
【産業上の利用可能性】
【００５０】
本発明のカメラモジュールは、光線径の影響を受けることなく、小型化されてもレンズに位置ずれを生じさせずに第一鏡筒と第二鏡筒とを適正な位置で溶着固化することができるという優れた効果を有し、カメラ機能を備えた携帯電話機、デジタルカメラ、監視用カメラ、車載カメラ等の分野で有用である。
【図面の簡単な説明】
【００５１】
【図１】本発明の一実施形態に係るカメラモジュールの全体斜視図
【図２】同実施形態に係るカメラモジュールの第一鏡筒及び第二鏡筒の斜視図であって、第一鏡筒及び第二鏡筒を嵌合（螺合）させた状態を示す斜視図
【図３】同実施形態に係るカメラモジュールの部分拡大断面図
【図４】本発明の他実施形態に係るカメラモジュールの部分拡大断面図
【図５】本発明の別の実施形態に係るカメラモジュールの部分断面図であって、（ａ）は、第一鏡筒に反射手段が配置されたカメラモジュールの部分断面図、（ｂ）は、第一鏡筒及び第二鏡筒の両方に反射手段が配置されたカメラモジュールの部分断面図
【符号の説明】
【００５２】
１  カメラモジュール
２  レンズ
３  第一鏡筒
４  第二鏡筒
５  ハウジング
６  板バネ材
７  第一鏡筒本体部
８  レンズ保持手段
９  開口
１０  絞り部
１１  雄ネジ
１２  第二鏡筒本体部
１３  フランジ部
１４  雌ネジ
１５  係止爪
１６  開口
１７  反射手段
１７ａ  第一反射手段
１７ｂ  第二反射手段
１８  窪み部
１９  溶着部
Ａ，Ｂ  溶着対象領域
Ｌ  光線（レーザー光）
【図１】
2010160404.tif 000003
【図２】
2010160404.tif 000004
【図３】
2010160404.tif 000005
【図４】
2010160404.tif 000006
【図５】
2010160404.tif 000007